(57)【要約】【課題】  画像形成装置、画像読取装置等の画像処理装置において、オペレータの再設定のミスを低減させるとともに、無駄なコピーの作成をなくすことができるようにする。【解決手段】  自動原稿給送装置１または画像形成装置内でジャム（ＪＡＭ）が発生し、オペレータが紙詰まりした原稿あるいはシートを取り出してジャムを解除するとともに、再度原稿束を最初の原稿から自動原稿給送装置の原稿載置台に再設定して読取り動作が再開された際に、１枚目の画像情報を再度取得してジャム発生前に記憶していた画像情報と比較する。そして、同一の原稿である場合にはそのまま処理を継続し、同一の原稿でないと判断した場合には警告表示を行う。【選択図】        図１
2005341357.tif 000002
【特許請求の範囲】
【請求項１】
原稿を読取る読取手段と、
前記読取手段で読取られた少なくとも１枚目の原稿の画像情報を記憶する記憶手段と、
前記記憶手段に記憶された画像情報をシートに画像形成して出力する出力手段と、を有し、
画像形成途中にジャムが発生して原稿を再度読取る際に、前記記憶手段に記憶されたジャム発生前の原稿の１枚目の画像情報とジャム発生後に再度読取った１枚目の原稿の画像情報とを比較し、比較した画像情報が同一でない場合に警告を発する警告手段を備えたことを特徴とする画像処理装置。
【請求項２】
原稿を載置する載置手段と、原稿を給送する給送手段と、シートを搬送する搬送手段とを有していることを特徴とする請求項１に記載の画像処理装置。
【請求項３】
原稿を読取る読取手段と、
前記読取手段で読取られた少なくとも１枚目の原稿の画像情報を記憶する記憶手段と、を有し、
画像読取中にジャムが発生して原稿を再度読取る際に、前記記憶手段に記憶されたジャム発生前の原稿の１枚目の画像情報とジャム発生後に再度読取った１枚目の原稿の画像情報とを比較し、比較した画像情報が同一でない場合に警告を発する警告手段を備えたことを特徴とする画像処理装置。
【請求項４】
原稿を載置する載置手段と、原稿を給送する給送手段とを有していることを特徴とする請求項３に記載の画像処理装置。
【請求項５】
原稿を読取る読取手段と、
前記読取手段で読取られた所定枚目の原稿の画像情報を記憶する記憶手段と、
前記記憶手段に記憶された画像情報をシートに画像形成して出力する出力手段と、を有し、
画像形成途中にジャムが発生して原稿を再度読取る際に、前記記憶手段に記憶されたジャム発生前の原稿の所定枚目画像情報とジャム発生後に再度読取った所定枚目原稿の画像情報とを比較し、比較した画像情報が同一でない場合に警告を発する警告手段を備えたことを特徴とする画像処理装置。
【請求項６】
原稿を載置する載置手段と、原稿を給送する給送手段と、シートを搬送する搬送手段とを有していることを特徴とする請求項５に記載の画像処理装置。
【発明の詳細な説明】
【技術分野】
【０００１】
本発明は、特に自動原稿供給装置を備えるデジタル画像形成装置、デジタル画像読取装置などの画像処理装置に関する。
【背景技術】
【０００２】
近年、この種の画像処理装置においては、読取った原稿を画像データとしてメモリ等に格納し、画像形成装置で複写する際や画像読取装置にてネットワークを介して接続されているパソコン（ＰＣ）に送信する際には、メモリ等から画像データを呼び出して所望の操作を実現することが可能になっている。
【０００３】
また、近年の画像処理装置に用いられる自動原稿供給装置の一例としては、原稿載置台、排紙トレイ及びスキャナ本体上の一側に配置された原稿分離手段、原稿搬送手段と排紙手段、反転搬送手段を備え、片面原稿や両面原稿に関わらず、光学系を固定して原稿を搬送しながら画像を読取る流し読み形式のものが知られている。このような自動原稿給送装置は、読取中の原稿と次に読取られる原稿の交換時間を短縮するため、複数枚の原稿がある一定の間隔で自動原稿供給装置内を搬送するように制御されている。
【０００４】
上記のような自動原稿供給装置でジャム（ＪＡＭ：紙詰まり）が発生した場合は、自動原稿給送装置内で複数枚の原稿が滞留している状態になる。このとき、ユーザは自動原稿供給装置で紙詰まりした原稿を取り出してジャムを解除するとともに、再度原稿を１ページ目から原稿載置台に載置して読取り動作を再開する。
【０００５】
また、自動原稿給送装置で原稿を読取搬送中に画像形成装置内でジャムが発生した場合でも、自動原稿給送装置内で搬送中の原稿は排紙トレイに排出され、まだ読取られていない原稿は原稿載置台に積載されたままとなり、原稿束が分離されてしまう。このとき、ユーザは画像形成装置内で紙詰まりしたシートを取り出してジャムを解除するとともに、原稿載置台、排紙トレイに分離された原稿束を再度１ページ目の原稿から原稿載置台に載置して複写動作を再開する。
【０００６】
このような従来の画像処理装置において、ジャム処理後、読取った画像のカウンタ値を覚えておき、再給紙後カウンタ値分は読取り動作をしないものが知られている（例えば、特許文献１参照。）。
【０００７】
また、自動原稿供給装置でジャムが発生し、戻すべき原稿の枚数を表示し、複写動作が再開される際に、オペレータの操作ミスにより既に読取り動作が完了していて戻す必要のない原稿が給紙トレイに置かれた場合に、ジャム発生前に画像記憶した画像情報とジャム発生後に読取られた画像情報とを比較し、同一の原稿であった場合には複写を行わないというものも知られている（例えば、特許文献２参照。）。
【特許文献１】特開２０００−９８８２１号公報
【特許文献２】特開平９−２３６９５０号公報
【発明の開示】
【発明が解決しようとする課題】
【０００８】
しかしながら、上記のような従来の画像処理装置において、カウンタ値分だけ読取り動作しない場合においては、オペレータの操作ミスにより再度原稿載置台に戻された原稿が違っていた場合でもカウンタ分だけ読取らずにそのまま継続されてしまい、所望のコピーを作成できないという問題があった。また、原稿の枚数を表示し、複写動作が再開される場合においては、オペレータの操作ミスにより必要な原稿でない画像情報の違う原稿が置かれてしまった場合にも複写を継続してしまい、所望のコピーを作成できないという問題があった。
【０００９】
本発明は、上記のような問題点に鑑みてなされたもので、オペレータの再設定のミスを低減させるとともに、無駄なコピーの作成をなくすことができる画像処理装置を提供することを目的とする。
【課題を解決するための手段】
【００１０】
上記目的を達成するための本発明の画像処理装置の代表的な構成は、
原稿を読取る読取手段と、
前記読取手段で読取られた少なくとも１枚目の原稿の画像情報を記憶する記憶手段と、
前記記憶手段に記憶された画像情報をシートに画像形成して出力する出力手段と、を有し、
画像形成途中にジャムが発生して原稿を再度読取る際に、前記記憶手段に記憶されたジャム発生前の原稿の１枚目の画像情報とジャム発生後に再度読取った１枚目の原稿の画像情報とを比較し、比較した画像情報が同一でない場合に警告を発する警告手段を備えたことを特徴とする。
【００１１】
また、上記目的を達成するための本発明の画像処理装置の他の構成は、
原稿を読取る読取手段と、
前記読取手段で読取られた少なくとも１枚目の原稿の画像情報を記憶する記憶手段と、を有し、
画像読取中にジャムが発生して原稿を再度読取る際に、前記記憶手段に記憶されたジャム発生前の原稿の１枚目の画像情報とジャム発生後に再度読取った１枚目の原稿の画像情報とを比較し、比較した画像情報が同一でない場合に警告を発する警告手段を備えたことを特徴とする。
【００１２】
またさらに、上記目的を達成するための本発明の画像処理装置の他の別な構成は、
原稿を読取る読取手段と、
前記読取手段で読取られた所定枚目の原稿の画像情報を記憶する記憶手段と、
前記記憶手段に記憶された画像情報をシートに画像形成して出力する出力手段と、を有し、
画像形成途中にジャムが発生して原稿を再度読取る際に、前記記憶手段に記憶されたジャム発生前の原稿の所定枚目画像情報とジャム発生後に再度読取った所定枚目原稿の画像情報とを比較し、比較した画像情報が同一でない場合に警告を発する警告手段を備えたことを特徴とする。
【発明の効果】
【００１３】
本発明によれば、自動原稿給送装置や画像形成装置内でジャムが発生し、オペレータが紙詰まりした原稿あるいはシートを取り出してジャムを解除するとともに、再度原稿束を最初の原稿から自動原稿給送装置の原稿載置台に再設定し読取り動作が再開された際に、１枚目の画像情報を再度取得してジャム発生前に記憶していた画像情報と比較し、違う原稿であると判断した場合には警告表示を行うことにより、オペレータの再設定のミスを低減させるとともに、無駄なコピーの作成をなくすことが可能となる。
【発明を実施するための最良の形態】
【００１４】
以下、図面を参照して、本発明を適用した画像処理装置の実施例について説明する。
【実施例】
【００１５】
以下の説明では、画像処理装置の実施形態として、画像形成装置としての複写機における画像読取装置に原稿を供給する自動原稿供給装置を取り上げている。また、説明の順序としては、まず上記自動原稿供給装置を備えた複写機全体の概略構成について簡単に説明し、次に自動原稿供給装置について詳しく説明する。
【００１６】
［複写機の概略構成］
図１を用いて、画像処理装置としての複写機の概略構成について簡単に説明する。
【００１７】
図１に示すように、複写機本体５０の上部には、本発明を適用したシート供給装置（シート搬送装置）である自動原稿供給装置（ＡＤＦ）１が開閉可能に設置されている。この自動原稿供給装置１では、上方に配置された積載トレイ２上に積載された原稿束が順次その最上紙から一枚毎に分離給紙され、複写機本体５０の読取位置である流し読みプラテンガラス（プラテン）に搬送され、搬送しながら原稿の画像が読み込まれ、該画像の読み込みが終了すると排紙トレイ３に排紙積載される。尚、この自動原稿供給装置１の詳細については後述する。
【００１８】
複写機本体５０は、原稿の読取手段であるところのリーダ部６０と、シートに画像形成して出力する出力手段（記録手段）であるところのプリンタ部７０により構成されている。
【００１９】
リーダ部６０は、原稿に記録された画像情報を光学的に読取り、光電変換して画像データとして入力するものであり、流し読みプラテン５１、ブックプラテン５２、ランプ６１とミラー６２を有するスキャナユニット６３、ミラー６４、６５、レンズ６６、イメージセンサ６７等を有している。自動原稿供給装置１を使用して原稿を読み込む際には、スキャナユニット６３を読取位置５３に停止させて、流し読みプラテン５１上を移動する原稿の画像を読み込み、自動原稿供給装置１を使用しない場合は、プラテン５２に載置される原稿の画像をスキャナユニット６３の移動により読み込む。読取られた画像データは、画像形成される場合にはプリンタ部７０で画像形成される。また、図示しないネットワークを介して接続されているパーソナルコンピュータ（ＰＣ）に画像データを電子データで送信することも可能である。
【００２０】
プリンタ部７０は、周知の静電潜像画像形成を用いた画像形成手段であり、このプリンタ部７０において、７１は上段カセットで、該カセット内の記録媒体であるところのシートは分離爪と給送ローラ７２の作用によって一枚ずつ分離給送されてレジストローラ７７に導かれる。７３は下段カセットで、該カセット内のシートは分離爪と給送ローラ７４の作用によって一枚ずつ分離給送されてレジストローラ７７に導かれる。７５は手差しガイドで、一枚ずつシートがローラ７６を介してレジストローラ７７に導かれる。７８はシートデッキで、モータ等により昇降する中板７８ａを備え、中板上のシートは、給送ローラ７９と分離爪の作用により一枚ずつ分離給送されて搬送ローラ８０に導かれ、該搬送ローラ８０によりレジストローラ７７に導かれる。
【００２１】
また、８１は感光体ドラム、８２は該ドラム表面を均一に帯電させる一次帯電器、８３はドラム表面に画像光（画像情報）を照射して静電潜像を形成する光学ユニット、８４はドラム表面に画像情報に応じたトナー像を形成する現像器、８５はドラム表面のトナー像をシートに転写する転写帯電器、８６は分離帯電器、８７は転写後にドラム表面の残留したトナーを除去するクリーニング器であり、これらにより画像形成部が構成されている。
【００２２】
更に、８８は画像形成されたシートを搬送する搬送ベルト、８９は転写されたトナー像をシートに定着する定着装置、９０は搬送ローラ、９１はダイバータである。画像形成されたシートは、ダイバータ９１によって排出ローラ９２に導かれ、ソータ９３内に搬送される。ソータ９３は、ノンソートトレイ９４、ソートビントレイ９５ｂ、ノンソートトレイ排出ローラ９６、ソートビントレイ排出ローラ９７を有し、ノンソートトレイ９４とソートビントレイ９５が昇降してシートを一段ずつ区分けする。尚、ソータ９３に代えて、排出トレイを装着する場合もある。
【００２３】
また、両面複写、多重複写の場合には、定着後のシートはダイバータ９１により分岐されて搬送ローラ１０１により搬送され、両面複写の場合は、ベルト１０２、１０４、パス１０６、排出ローラ１０５を経て中間トレイ１００に排出される。１０９、１１０はシートを給送する半月ローラ、１１１は分離ローラ対、１１３、１１４、１１５はシートをレジストローラ７７へ搬送する搬送ローラである。
【００２４】
次に、代表的な自動原稿供給装置について詳しく説明する。
【００２５】
［自動原稿供給装置の概略構成］
図２は自動原稿供給装置１の概略構成を示す断面図であり、図３はその要部の拡大断面図である。
【００２６】
本実施形態に係る自動原稿供給装置１は、片面に画像情報を有する原稿を搬送しつつその画像情報を読取る片面読取モードと、両面に画像情報を有する原稿を搬送しつつその画像情報を読取る両面読取モードとを有する。以下、各読取モードの説明を搬送原稿の流れに沿って簡単に説明する。
【００２７】
まず、自動原稿供給装置１の概略構成の簡単説明と合わせて、片面読取モード時の片面原稿の流れを簡単に説明する。
【００２８】
図２及び図３に示すように、自動原稿供給装置１は、積載手段としての積載トレイ２を有し、該積載トレイ２の面上に原稿を積載する。
【００２９】
自動原稿供給装置１の原稿給紙部では、繰り出し手段としての繰り出しローラ４が積載トレイ２上に積載された原稿束を分離部５，６へ引き込み、該分離部を構成する給送手段としての給送ローラ５と分離手段としての摩擦分離パッド６により原稿束の最上紙を一枚ずつ分離し、第１レジストローラ７ａ、７ｂへと搬送する。第１レジストローラ７ａ、７ｂは原稿先端の到着時には停止しており、給送ローラ５による搬送でループを形成して斜行補正をした後に、後述の原稿搬送部へ搬送する。
【００３０】
自動原稿供給装置１の原稿搬送部では、上述の原稿給紙部より搬送された原稿をリードローラ８と第２レジストローラ９、リードコロ１０、リードコロ１１によって流し読みプラテン５１と白色板１２の間を所定の速度で搬送していく。このとき、流し読みプラテン５１上の読取位置５３の下に露光装置であるスキャナユニット６３（図１参照）が固定されており、露光動作（読取動作）を行う。
【００３１】
自動原稿供給装置１の原稿排紙部では、読取位置５３で露光動作が行われている間は排反ローラ１３ａ、１３ｂは離間しているが、読取位置５３を原稿後端が通過し読取りが終了した後、排反ローラ１３ｂが上方（破線位置から実線位置）に移動し、原稿を排反ローラ１３ａと排反ローラ１３ｂとでニップし、排紙トレイ３上へ裏面排出する。
【００３２】
尚、図２及び図３において、Ｓ１は原稿の先端及び後端を検知することにより分離給送の原稿を検知する分離検知センサ、Ｓ２は原稿の先端を検出するレジストセンサ、Ｓ３は原稿の先端を検知して複写機本体５０のリーダ部６０に知らせるリードセンサ、Ｓ４は原稿の先端及び後端を検知する排紙センサである。
【００３３】
次に、両面読取モード時の両面原稿の流れを簡単に説明する。
【００３４】
積載トレイ２に積載された原稿は、上記原稿給紙部により一枚ずつ分離され、上記原稿搬送部へと搬送される。原稿搬送部では、片面時と同様に流し読みプラテン５１と白色板１２との間を所定速度で搬送していく。このとき、読取位置５３の下に露光装置であるスキャナユニット６３が固定されており、１面目である表面の露光動作（読取動作）が行われる。
【００３５】
そして、原稿の後端が排紙センサＳ４を通過した後、排反ローラ１３ａ、１３ｂが逆転し、原稿の排紙方向とは逆方向に位置する上記原稿搬送部の第２レジストローラ９へ原稿をスイッチバックして搬送する。第２レジストローラ９は原稿先端の到着時には停止しており、排反ローラ１３ａ、１３ｂの駆動によりループを形成し、両面時の斜行補正を行い、上記原稿搬送部へ搬送する。
【００３６】
上記原稿搬送部では、１面目である表面と同様にして２面目である裏面の露光動作（読取動作）を行った後、上記原稿排紙部へ原稿を搬送する。
【００３７】
原稿排紙部では、本実施形態の原稿供給装置１の構成上、２面目である裏面を読み込んだ後に原稿がフェイスアップ状態（１面目である表面が装置上方を向いている状態）になり、排紙される原稿の順序が狂ってしまうため、即ち積載トレイ２にページ順に積載された原稿が排紙トレイ３上においてそのページ順が狂ってしまうため、再反転を行う必要がある。そのため、原稿排紙部では、原稿の後端が排紙センサＳ４を通過した後、排反ローラ１３ａ、１３ｂが逆転し、再び原稿を原稿搬送部の方向へ搬送する。このとき、原稿搬送部では裏面排紙を行うために原稿面の反転動作しか行わないため、第２レジストローラ９では斜行補正を行わない。
【００３８】
原稿搬送部を通過した原稿は、再度原稿排紙部へ搬送され、排反ローラ１３ａ、１３ｂにニップされて排紙トレイ３上に裏面排紙される。これにより、原稿は１面目である表面が装置下方を向いている状態であるフェイスダウン状態で排紙される。
【００３９】
［複写機のハード構成］
図４は複写機全体の制御系の構成を示すブロック図である。複写機全体を制御する制御部は、ＣＰＵ回路部４００を中心に構成されている。ＣＰＵ回路部４００には、ＣＰＵ４０１、ＲＯＭ４０２、ＲＡＭ４０３などが設けられている。
【００４０】
ＣＰＵ回路部４００は、ＲＯＭ４０２にプログラムが格納され、ＣＰＵ４０１によって実行されるプログラム及び操作部４０４の設定に従って、原稿搬送装置１を制御する原稿給送装置制御部４０８、リーダ部６０を制御するイメージリーダ制御部２０１、画像信号制御部４０５、プリンタ部７０を制御するプリンタ制御部３０１、ソータ９３を制御するフィニッシャ制御部６０１及び外部インターフェイス（Ｉ／Ｆ）４０６の制御を司る。
【００４１】
ＲＡＭ４０３は、制御データを一時的に保持する領域、制御に伴う演算の作業領域として用いられる。外部Ｉ／Ｆ４０６は、外部コンピュータ４０７とのインターフェイスであり、外部コンピュータ４０７からのプリントデータを画像に展開して画像信号制御部４０５に出力する。
【００４２】
イメージリーダ制御部２０１は、イメージセンサ２０８で読取られた画像を画像信号制御部４０５に出力し、画像信号制御部４０５からプリンタ制御部３０１に出力された画像データは露光制御部３０５に入力される。
【００４３】
図５は画像信号制御部４０５の構成を示すブロック図である。画像信号制御部４０５は、画像処理部４１０、ラインメモリ４１１、ページメモリ４１２及びハードディスク４１３を有し、ＣＰＵ４１４によって制御される。画像処理部４１０では、画像の補正処理や操作部１０２での設定に応じた編集処理を行う。ラインメモリ４１１では、主走査方向に画像を入れ替える鏡像処理等を行う。ラインメモリ４１１の画像データは、ページメモリ４１２を介してプリンタ制御部３０１に出力される。必要に応じて画像データは、ハードディスク４１３にも格納される。ハードディスク４１３に格納された画像データは、外部Ｉ／Ｆ４０７を介して電子データとしてＰＣなどに送信することができる（ＳＥＮＤモード）。また、画像信号制御部４０５は、ハードディスク４１３に格納された画像データを読み出して、画像信号制御部４０５で比較することも可能である。
【００４４】
［自動原稿供給装置のハード構成］
図６は自動原稿供給装置１の原稿給送装置制御部４０８の構成を示すブロック図である。ＣＰＵ回路部１０００は、自動原稿供給装置１全体を制御するＣＰＵ１００１を有し、ＲＯＭ１００２にはプログラムが格納され、ＲＡＭ１００３は制御データを一時的に保持する領域や、制御に伴う演算の作業領域として用いられる。外部Ｉ／Ｆ１００４は、上記リーダ部６０のイメージリーダ制御部２０１と通信を行うインターフェイスである。そして、自動原稿供給装置１で使用される積載トレイに置かれた原稿を分離する分離モータＭ１、分離された原稿を搬送し読取位置まで搬送するリードモータＭ２、読取りが終了した原稿を排紙トレイ３上に排紙する排紙モータＭ３、分離検知センサＳ１、レジストセンサＳ２、リードセンサＳ３、排紙センサＳ４の信号によって、ＣＰＵ回路部１０００は制御を行う。
【００４５】
［自動原稿供給装置の原稿読取動作］
図７は自動原稿供給装置１の原稿読取動作を示すフローチャートであり、このフローチャート及び後述する図８〜図１２に示すフローチャートの制御処理は、ＣＰＵ４０１、４１４、１００１によって実行されるものである。
【００４６】
自動原稿供給装置１の積載トレイ２に原稿がセットされると、原稿がセットされたことを認識する不図示の原稿セットセンサがＯＮし（Ｓ１０１）、スタートキーが押されることにより読取動作が開始される。まず、ＣＰＵ１００１（図６参照）は、オペレータが任意に設定した読取モード、例えば片面コピーモード、両面コピーモード、ＳＥＮＤモードなどを取得すると同時に、原稿枚数Ｎを１に設定する。そして、積載トレイ２上の原稿束の１枚目を分離し（Ｓ１０３）、原稿が流し読みプラテン５１まで搬送されと、１枚目の読取りを開始する（Ｓ１０４）。原稿の後端が流し読みプラテン５１を通過すると、１枚目の読取りを終了する（Ｓ１０５）。
【００４７】
次に、ＣＰＵ１００１は、原稿枚数Ｎ＝１またはＳＥＮＤモードかを判断する（Ｓ１０６）。原稿枚数Ｎ＝１またはＳＥＮＤモードの場合には、画像信号制御部４０５のＣＰＵ４１４に原稿枚数Ｎ＝１またはＳＥＮＤモードであることを送信し、画像信号制御部４０５内のＣＰＵ４１４は画像データをページメモリを介してハードディスク４１３に格納する（Ｓ１０７）。ＳＥＮＤモード時は、外部Ｉ／Ｆを介してＰＣなどに送信するために、原稿枚数に関わらず読取られる全ての原稿をハードディスク４１３に格納する。一方、コピーモードで原稿枚数Ｎが１以外のときには（Ｓ１０６）、画像信号制御部４０５のＣＰＵ４１４は画像データをページメモリにのみ記憶し（Ｓ１１０）、プリンタ制御部３０１へ画像データを送信する。
【００４８】
次に、ＣＰＵ１００１は、原稿セットセンサがＯＮしているかを確認する（Ｓ１０８）。原稿セットセンサがＯＮの場合には、２枚目以降の原稿がまだ積載トレイ２にあると判断して、原稿枚数Ｎに１を加算し（Ｓ１０９）、２枚目の分離を開始し（Ｓ１０３）、上記動作を繰り返す。原稿セットセンサがＯＦＦの場合には、ＣＰＵ１００１は読取られた原稿が最終紙であると判断し、排紙完了を待って（Ｓ１１１）終了する。
【００４９】
［画像形成装置のＪＡＭ検出動作］
画像形成装置でコピーされるシートのＪＡＭ検出動作を図８のフローチャートで詳細に説明する。
【００５０】
オペレータがコピーモードを選択し、スタートキーが押されることによりＪＯＢが開始されると（Ｓ２０１）、プリンタ制御部の図示しないＣＰＵはコピーされるシートのＪＡＭ検知をリアルタイムに行う。そして、画像形成装置内のシート搬送路に複数配置されたセンサをリアルタイムに監視してジャムを検知し（Ｓ２０２）、ＪＯＢが終了するまでジャムが発生しない場合には（Ｓ２０３）、そのまま終了する（Ｓ２０４）。シート搬送中にジャムが発生した場合には（Ｓ２０２）、プリンタ制御部の図示しないＣＰＵは画像形成装置を停止する（Ｓ２０５）。
【００５１】
また、自動原稿給送装置１のＣＰＵ１００１は、プリンタ制御部３０１より画像形成装置内でジャムが発生したことを受信し、現在自動原稿給送装置内で搬送されている原稿を排出し、停止する（Ｓ２０５）。次に、ＣＰＵ１００１は、ジャム発生前に複写が完了している原稿枚数Ｍを取得し、ＲＡＭ１００３に記憶する（Ｓ２０６）。その後、ＣＰＵ回路部４００（図４参照）は画像形成装置の図示しない表示部にジャムが発生したこと表示し（Ｓ２０７）、画像形成及び画像読取りの処理を中断する（Ｓ２０８）。
【００５２】
［自動原稿供給装置のＪＡＭ検出動作］
自動原稿供給装置１で画像読取りされる原稿のＪＡＭ検出動作を図９のフローチャートで詳細に説明する。
【００５３】
オペレータが原稿を積載トレイ２にセットし、コピーモードないしＳＥＮＤモードが選択され、スタートキーが押されることによりＪＯＢが開始されると（Ｓ３０１）、自動原稿給送装置１のＣＰＵ１００１は原稿のジャム検知をリアルタイムに行う。そして、画像形成装置内のシート搬送路に複数配置されたセンサＳ１、Ｓ２、Ｓ３、Ｓ４をリアルタイムに監視してジャムを検知し（Ｓ３０２）、ＪＯＢが終了するまでジャムが発生しない場合には（Ｓ３０３）、そのまま終了する（Ｓ３０４）。原稿搬送中にジャムが発生した場合には（Ｓ３０２）、ＣＰＵ１００１は自動原稿給送装置１の搬送を停止する（Ｓ３０５）。
【００５４】
また、オペレータによってコピーモードが選択されている場合には、プリンタ制御部の図示しないＣＰＵは、ＣＰＵ１００１より自動原稿給送装置内でジャムが発生したことを受信し、現在画像形成装置内にあるシートを複写して排出し、停止する（Ｓ３０５）。次に、ＣＰＵ１００１は、ジャム発生前に読取った原稿枚数Ｍを取得し、ＲＡＭ１００３に記憶する（Ｓ３０６）。その後、ＣＰＵ回路部４００（図４参照）は画像形成装置の図示しない表示部にジャムが発生したこと表示し（Ｓ３０７）、画像形成及び画像読取りの処理を中断する（Ｓ３０８）。
【００５５】
次に、本発明に係る処理の詳細を図１０〜図１３を用いて詳細に説明する。
【００５６】
［ＪＡＭ処理後の再読取設定処理］
自動原稿給送装置１を用いて、コピーモード、ＳＥＮＤモードを行っている際に、画像形成装置または自動原稿給送装置でジャムが発生し、オペレータによってジャムが解除された後の自動原稿給送装置１の再読取動作を図１０〜図１２のフローチャート及び図１３で詳細に説明する。
【００５７】
画像形成装置または自動原稿装置内ジャム処理が解除されると、画像形成装置の図示しない表示部の画面に図１３の（Ａ）に示すように再度原稿束の１枚目から自動原稿給送装置１の積載トレイ２に設定するようにオペレータに表示する。オペレータが再度原稿を設定し、原稿セットセンサがＯＮし（Ｓ４０１）、図１３の（Ａ）のＯＫキーが押下されると（Ｓ４０２）、自動原稿給送装置のＣＰＵ１００１は、１枚目の分離を再スタートさせる（Ｓ４０３）。次に、原稿が流し読みプラテン５１まで搬送され、１枚目の読取りを開始する（Ｓ４０４）。原稿１枚目の読取りを終了すると、画像信号制御部４０５内のＣＰＵ４１４は、ページメモリに記憶する（Ｓ４０５）。ＣＰＵ４１４は、ジャム発生前にハードディスクに格納しておいた１枚目の画像データとＪＡＭ発生後に再設定されページメモリに記憶した画像データとを比較する（Ｓ４０６）。ＣＰＵ４１４が同一の原稿であると判断した場合には（Ｓ４０７）、自動原稿給送装置１のＣＰＵ１００１に同一の原稿であることを送信する。
【００５８】
自動原稿給送装置のＣＰＵ１００１は、現在の原稿枚数Ｎとジャム発生前にＲＡＭ１００３に記憶した読取枚数Ｍとを比較し、もうすでにコピーまたは読取りが完了している分は読取らずに排紙するように制御する。またＣＰＵ１００１は、現在の原稿枚数Ｎより読取枚数Ｍが大きい場合には（Ｓ４０７）、読取り済みの原稿であると判断して原稿を分離し読取らずに排出し（Ｓ４０８）、Ｎに１を加算し（Ｓ４０９）、上記動作を繰り返す。原稿枚数Ｎより読取枚数Ｍが小さくなると、ＣＰＵ１００１はまだ読取またはコピーしていない原稿と判断し、Ｎ枚目の分離を開始する（Ｓ４１０）。そして、原稿が流し読みプラテン５１まで搬送され、Ｎ枚目の読取りを開始する（Ｓ４１１）。
【００５９】
ＳＥＮＤモードである場合には（Ｓ４１３）、ページメモリ、ハードディスクに格納し、コピーモードである場合には（Ｓ４１３）、ページメモリに記憶する。ＣＰＵ１００１は、原稿セットセンサがＯＮしているかを確認し（Ｓ４１５）、原稿セットセンサがＯＮの場合には、さらに原稿がまだ積載トレイ２にあると判断して、原稿枚数Ｎに１を加算し（Ｓ４１６）、Ｎ枚目の分離を開始し（Ｓ１０３）、上記動作を繰り返す。原稿セットセンサがＯＦＦの場合には、ＣＰＵ１００１は読取られた原稿が最終紙であると判断し、排紙完了を待って（Ｓ４１７）終了する（Ｓ４１８）。
【００６０】
画像信号制御部４０５のＣＰＵ４１４によって１枚目の原稿を比較し（Ｓ４０６）、同一の原稿ではないと判断された場合には、ジャム処理後の原稿の再設定が間違っていると判断して１枚目の原稿を排出し（Ｓ４１９）、停止する。動作を停止した後、図示しない表示部に図１３の（Ｂ）に示すように原稿の設定が間違っていることを表示し（Ｓ４２０）、再度設定するようにオペレータに促し、再再読取設定処理に移行する（Ｓ５００）。
【００６１】
また、図１３の（Ａ）でキャンセルキーを押下されると（Ｓ４２１）、キャンセル処理へ移行する（Ｓ６００）。
【００６２】
［ＪＡＭ処理後の再再読取設定処理］
図１３の（Ｂ）に示すように、原稿の設定が間違っていた場合の再再読取設定処理を図１１のフローチャートで詳細に説明する。
【００６３】
オペレータが再度原稿を設定し、原稿セットセンサがＯＮし（Ｓ５０１）、図１３の（Ｂ）のＯＫキーを押下されると（Ｓ５０２）、自動原稿給送装置１のＣＰＵ１００１は、１枚目の分離を再スタートさせる（Ｓ５０３）。次に原稿が流し読みプラテン５１まで搬送され、１枚目の読取りを開始する（Ｓ５０４）。原稿１枚目の読取りを終了すると、画像信号制御部４０５内のＣＰＵ４１４はページメモリに記憶する（Ｓ５０５）。またＣＰＵ４１４は、ジャム発生前にハードディスクに格納しておいた１枚目の画像データと再再設定されページメモリに記憶した画像データとを比較する（Ｓ５０６）。同一の原稿であると判断された場合にはＳ４０７の処理へ移行する。
【００６４】
画像信号制御部４０５内のＣＰＵ４１４によって１枚目の原稿を比較し（Ｓ５０６）、同一の原稿ではないと判断された場合には、原稿の再設定が再度間違っていると判断して１枚目の原稿を排出し（Ｓ５０７）、停止する。そして、再度図１３の（Ｂ）に示すように原稿の設定が間違っていることを表示し（Ｓ５０８）、上記動作を繰り返す。
【００６５】
また、図１３の（Ｂ）でキャンセルキーを押下されると（Ｓ５０９）、キャンセル処理へ移行する（Ｓ６００）。
【００６６】
［ＪＡＭ処理後のキャンセル処理］
キャンセル処理の流れを図１２のフローチャート及び図１３の（Ｃ）で詳細に説明する。
【００６７】
図１３の（Ａ）、（Ｂ）でキャンセルキーを押下された場合と、２度の原稿再設定が間違っていた場合には、図１３の（Ｃ）に示すようにＪＯＢを中断する表示をし（Ｓ６０１）、ＪＯＢを終了する（Ｓ６０２）。
［他の実施例］
前述の実施例では、画像読取中にジャムが発生して原稿を再度読取る際に、ハードディスクに記憶されたジャム発生前の原稿の１枚目の画像情報とジャム発生後に再度読取った１枚目の原稿の画像情報とを比較し、比較した画像情報が同一でない場合に警告を発したが、１枚目の画像情報同士の比較ではなく、所定枚目の画像同士の比較であってもよい。
【００６８】
例えば、画像形成装置または自動原稿装置内のジャムが発生すると、ジャム発生直前に読み取った画像及びその画像が何枚目であるかを示す情報をハードディスクに記憶する。画像形成装置または自動原稿装置内ジャム処理が解除されると、画像形成装置の図示しない表示部の画面に図１３の（Ａ）に示すように再度原稿束の１枚目から自動原稿給送装置１の積載トレイ２に設定するようにオペレータに表示する。オペレータが再度原稿を設定し、原稿セットセンサがＯＮし、図１３の（Ａ）のＯＫキーが押下されると、自動原稿給送装置のＣＰＵ１００１は、１枚目の分離を再スタートさせる。次に、原稿を順次流し読みプラテン５１まで搬送させ、ジャムが発生したときのページが流し読みプラテン５１に給送されたときに原稿の読み取りを行い、この読み取った原稿の画像とジャム発生時にハードディスクに記憶した画像を比較する。そして、この比較の結果が不一致のときは上述の実施例と同様に警告を発する。
【００６９】
以上のように、前述の実施例と同様の効果を得ることができる。
【図面の簡単な説明】
【００７０】
【図１】自動原稿供給装置を備えた複写機の概略構成を示す断面図
【図２】自動原稿供給装置の概略構成を示す断面図
【図３】自動原稿供給装置の要部の拡大断面図
【図４】複写機全体の制御系の構成を示すブロック図
【図５】画像信号制御部の構成を示すブロック図
【図６】原稿給送装置制御部の構成を示すブロック図
【図７】自動原稿供給装置の読取動作を示すフローチャート
【図８】画像形成装置のＪＡＭ検出動作を示すフローチャート
【図９】自動原稿供給装置のＪＡＭ検出動作を示すフローチャート
【図１０】ＪＡＭ処理後の再読取設定処理を示すフローチャート
【図１１】ＪＡＭ処理後の再再読取設定処理を示すフローチャート
【図１２】ＪＡＭ処理後のキャンセル処理フを示すローチャート
【図１３】ＪＡＭ処理後の各表示画面の一例を示す説明図
【符号の説明】
【００７１】
１  自動原稿供給装置
２  積載トレイ
５０  複写機本体
６０  リーダ部
７０  プリンタ部
８１  感光体ドラム
８３  光学ユニット
８４  現像器
４００  ＣＰＵ回路部
４０１  ＣＰＵ
４０２  ＲＯＭ
４０３  ＲＡＭ
１００１  ＣＰＵ
【図１】
2005341357.tif 000003
【図２】
2005341357.tif 000004
【図３】
2005341357.tif 000005
【図４】
2005341357.tif 000006
【図５】
2005341357.tif 000007
【図６】
2005341357.tif 000008
【図７】
2005341357.tif 000009
【図８】
2005341357.tif 000010
【図９】
2005341357.tif 000011
【図１０】
2005341357.tif 000012
【図１１】
2005341357.tif 000013
【図１２】
2005341357.tif 000014
【図１３】
2005341357.tif 000015